(57)【要約】【課題】保存安定性に優れた蒸気・復水系処理剤組成物が得られる製造方法及びその製造方法で得られる蒸気・復水系処理剤組成物を提供する。【解決手段】（ａ）特定の長鎖脂肪族アミン及び／又はその脂肪酸塩、（ｂ）ポリオキシエチレンソルビタン脂肪酸エステル、（ｃ）特定の中和性アミンを含む水性エマルションである蒸気・復水系処理剤組成物の製造方法であって、（ａ）及び（ｂ）を含む水分散液を、７０℃以上の液温に維持した状態で、（ｃ）を含む水溶液に混合して混合物を生成する混合工程を含み、混合工程では、生成途中の混合物の液温を４０℃以下に保持する。上記蒸気・復水系処理剤組成物の製造方法であって、上記水分散液を、７０℃以上の液温に維持した状態で、水に添加して混合液を調製する混合液調製工程と、混合液に（ｃ）成分を混合して混合物を生成する混合工程とを含み、混合液調製工程では、生成途中の混合液の液温を４０℃以下に保持する。【選択図】図１
2014114479.tif 000002
【特許請求の範囲】
【請求項１】
（ａ）炭素数１０〜２４の長鎖脂肪族基を有する長鎖脂肪族アミン及びその脂肪酸塩の少なくとも一方と、（ｂ）ポリオキシエチレンソルビタン脂肪酸エステルと、（ｃ）式：ＨＯ−（ＣＲ１２）ｎ−ＮＲ２２（但し、Ｒ１は独立にＨ又はＣＨ３であり、Ｒ２は独立にＨ、ＣＨ３、又はＣ２Ｈ５であり、ｎは２又は３である。）で表される中和性アミンとを含有する水性エマルションである蒸気・復水系処理剤組成物の製造方法であって、
前記（ａ）成分と前記（ｂ）成分とを含有する水分散液を、７０℃以上の液温に維持した状態で、前記（ｃ）成分を含有する水溶液に混合して混合物を生成する混合工程を含み、
前記混合工程では、生成途中の前記混合物の液温を４０℃以下に保持する製造方法。
【請求項２】
（ａ）炭素数１０〜２４の長鎖脂肪族基を有する長鎖脂肪族アミン及びその脂肪酸塩の少なくとも一方と、（ｂ）ポリオキシエチレンソルビタン脂肪酸エステルと、（ｃ）式：ＨＯ−（ＣＲ１２）ｎ−ＮＲ２２（但し、Ｒ１は独立にＨ又はＣＨ３であり、Ｒ２は独立にＨ、ＣＨ３、又はＣ２Ｈ５であり、ｎは２又は３である。）で表される中和性アミンとを含有する水性エマルションである蒸気・復水系処理剤組成物の製造方法であって、
前記（ａ）成分と前記（ｂ）成分とを含有する水分散液を、７０℃以上の液温に維持した状態で、水に添加して混合液を調製する混合液調製工程と、
前記混合液に前記（ｃ）成分を混合して混合物を生成する混合工程とを含み、
前記混合液調製工程では、生成途中の前記混合液の液温を４０℃以下に保持する製造方法。
【請求項３】
請求項１又は２に記載の製造方法で得られる蒸気・復水系処理剤組成物。
【発明の詳細な説明】
【技術分野】
【０００１】
本発明は、蒸気系や復水系等における金属腐食を抑制するためのエマルション型蒸気・復水系処理剤組成物の製造方法、及びその製造方法で得られる蒸気・復水系処理剤組成物に関する。
【背景技術】
【０００２】
ボイラー、濃縮缶等の蒸気を発生する装置では、供給水中に含まれていた重炭酸イオンや二酸化炭素等の作用による復水のｐＨ低下及び溶存酸素に起因して、蒸気や復水と接触する箇所に腐食が生じる。この腐食の防止対策としては、供給水のイオン交換処理や脱気処理に加えて、主に皮膜性防食剤として作用する長鎖脂肪族アミンを使用した化学的処理が用いられている。
【０００３】
しかし、長鎖脂肪族アミンは非水溶性であるために、直接水に添加して溶解させることはできず、均一に安定して分散させることも困難であった。そこで、長鎖脂肪族アミンを水中に乳化、分散してエマルションの形で用いる方法が提案されている。例えば、特許文献１には、乳化剤かつ乳化安定剤としてポリオキシエチレンソルビタン脂肪酸エステルを用いて長鎖脂肪族アミンを水に分散させた蒸気・復水系処理剤組成物が開示されている。
【先行技術文献】
【特許文献】
【０００４】
【特許文献１】特開平１１−３３５８７８号公報
【発明の概要】
【発明が解決しようとする課題】
【０００５】
しかし、本発明者らが検討したところ、特許文献１に開示された製造方法で得られる蒸気・復水系処理剤組成物は、保存安定性が十分ではないことが判明した。
【０００６】
本発明は、保存安定性に優れた蒸気・復水系処理剤組成物を得ることができる製造方法、及びその製造方法で得られる蒸気・復水系処理剤組成物を提供することを目的とする。
【課題を解決するための手段】
【０００７】
本発明は、（ａ）炭素数１０〜２４の長鎖脂肪族基を有する長鎖脂肪族アミン及びその脂肪酸塩の少なくとも一方と、（ｂ）ポリオキシエチレンソルビタン脂肪酸エステルと、（ｃ）式：ＨＯ−（ＣＲ１２）ｎ−ＮＲ２２（但し、Ｒ１は独立にＨ又はＣＨ３であり、Ｒ２は独立にＨ、ＣＨ３、又はＣ２Ｈ５であり、ｎは２又は３である。）で表される中和性アミンとを含有する水性エマルションである蒸気・復水系処理剤組成物の製造方法であって、上記（ａ）成分と上記（ｂ）成分とを含有する水分散液を、７０℃以上の液温に維持した状態で、上記（ｃ）成分を含有する水溶液に混合して混合物を生成する混合工程を含み、上記混合工程では、生成途中の上記混合物の液温を４０℃以下に保持する製造方法に関する。
【０００８】
また、本発明は、（ａ）炭素数１０〜２４の長鎖脂肪族基を有する長鎖脂肪族アミン及びその脂肪酸塩の少なくとも一方と、（ｂ）ポリオキシエチレンソルビタン脂肪酸エステルと、（ｃ）式：ＨＯ−（ＣＲ１２）ｎ−ＮＲ２２（但し、Ｒ１は独立にＨ又はＣＨ３であり、Ｒ２は独立にＨ、ＣＨ３、又はＣ２Ｈ５であり、ｎは２又は３である。）で表される中和性アミンとを含有する水性エマルションである蒸気・復水系処理剤組成物の製造方法であって、上記（ａ）成分と上記（ｂ）成分とを含有する水分散液を、７０℃以上の液温に維持した状態で、水に添加して混合液を調製する混合液調製工程と、上記混合液に上記（ｃ）成分を混合して混合物を生成する混合工程とを含み、上記混合液調製工程では、生成途中の上記混合液の液温を４０℃以下に保持する製造方法に関する。
【０００９】
本発明は、上記製造方法で得られる蒸気・復水系処理剤組成物に関する。
【発明の効果】
【００１０】
本発明によれば、保存安定性に優れた蒸気・復水系処理剤組成物を得ることができる製造方法、及びその製造方法で得られる蒸気・復水系処理剤組成物を提供することができる。
【図面の簡単な説明】
【００１１】
【図１】本発明の第１実施形態に係る蒸気・復水系処理剤組成物の製造方法について手順の具体例を示すフローチャートである。
【図２】本発明の第２実施形態に係る蒸気・復水系処理剤組成物の製造方法について手順の具体例を示すフローチャートである。
【発明を実施するための形態】
【００１２】
〔第１実施形態〕
本発明の第１実施形態に係る蒸気・復水系処理剤組成物の製造方法は、（ａ）炭素数１０〜２４の長鎖脂肪族基を有する長鎖脂肪族アミン及びその脂肪酸塩の少なくとも一方と、（ｂ）ポリオキシエチレンソルビタン脂肪酸エステルと、（ｃ）式：ＨＯ−（ＣＲ１２）ｎ−ＮＲ２２（但し、Ｒ１は独立にＨ又はＣＨ３であり、Ｒ２は独立にＨ、ＣＨ３、又はＣ２Ｈ５であり、ｎは２又は３である。）で表される中和性アミンとを含有する水性エマルションである蒸気・復水系処理剤組成物の製造方法であって、上記（ａ）成分と上記（ｂ）成分とを含有する水分散液を、７０℃以上の液温に維持した状態で、上記（ｃ）成分を含有する水溶液に混合して混合物を生成する混合工程を含み、上記混合工程では、生成途中の上記混合物の液温を４０℃以下に保持する製造方法である。
【００１３】
以下、本発明の第１実施形態に係る蒸気・復水系処理剤組成物の製造方法について、図１を参照しながら説明する。図１は、本発明の第１実施形態に係る蒸気・復水系処理剤組成物の製造方法について手順の具体例を示すフローチャートである。
【００１４】
図１に示すとおり、本発明の第１実施形態に係る蒸気・復水系処理剤組成物の製造方法は、（ａ）成分と（ｂ）成分とを含有する水分散液を、７０℃以上の液温に維持した状態で、（ｃ）成分を含有する水溶液に混合して混合物を生成する混合工程を含み、混合工程では、生成途中の上記混合物の液温が４０℃以下に保持される。蒸気・復水系処理剤組成物は、上記混合工程で生成された混合物として得られる。
【００１５】
（ａ）成分と（ｂ）成分とを含有する水分散液は、図１に示すとおり、例えば、水に（ａ）成分と（ｂ）成分とを添加し、７０℃以上の温度で混合することにより得られる。（ａ）成分は、通常、室温で固体の油分であるため、室温で（ａ）成分を水と混ぜても（ａ）成分は水に分散しにくい。しかし、乳化剤かつ乳化安定剤として機能する（ｂ）成分を共存させて７０℃以上の温度で混合を行うことにより、（ａ）成分が十分に融解し、水に均一に安定して分散するため、（ａ）成分と（ｂ）成分とを含有する水分散液を容易に得ることができる。
【００１６】
上記温度が７０℃未満であると、（ａ）成分の融解が不十分となりやすく、上記水分散液を得られない場合がある。上記温度の上限は、特に限定されるものではないが、得られる蒸気・復水系処理剤組成物の保存安定性の観点から、８０℃以下が好ましい。上記温度が８０℃以下であると、そのような温度に水分散液を長時間さらしても、（ｂ）成分であるポリオキシエチレンソルビタン脂肪酸エステルの分子構造に変化が起こりにくく、より良好な保存安定性を有する蒸気・復水系処理剤組成物が得やすい。
【００１７】
上記水分散液を得るためのより具体的な方法としては、例えば、７０℃以上の水に（ａ）成分と（ｂ）成分とを添加し、７０℃以上の温度で混合する方法や、室温等の７０℃未満の水に（ａ）成分と（ｂ）成分とを添加した後、液温を７０℃以上に上げ、７０℃以上の温度で混合を行う方法が挙げられるが、水分散液の得やすさ等の観点から、前者の方法が好ましい。
【００１８】
一方、（ｃ）成分を含有する水溶液は、図１に示すとおり、例えば、水に（ｃ）成分を添加し、混合することにより得られる。
【００１９】
（ｃ）成分を含有する水溶液の液温は、特に限定されず、上記水分散液を上記水溶液に混合する際に、生成途中の混合物の液温を４０℃以下に保持することができる温度であることが好ましく、水と（ｃ）成分との混合割合や上記水分散液と上記水溶液との重量比等にもよるが、１０℃以下であることが好ましい。１０℃以下の水溶液を得るための具体的な方法としては、例えば、１０℃以下の水に（ｃ）成分を添加して混合し、液温を１０℃以下に保持する方法や、室温等の１０℃超の水に（ｃ）成分を添加して混合し、液温を１０℃以下に下げる方法が挙げられるが、（ｃ）成分の揮発の抑えやすさ等の観点から、前者の方法が好ましい。
【００２０】
上述の水分散液及び（ｃ）成分を含有する水溶液を調製するために用いられる水としては、例えば、逆浸透膜等により膜処理することで得られる純水、蒸留水、及びイオン交換水等の精製水等が挙げられる。
【００２１】
上記のとおりにして得られた水分散液を、上記のとおりにして得られた水溶液に混合する。水分散液を水溶液に混合する際、水分散液の液温は７０℃以上に維持される。上記液温が７０℃未満であると、（ａ）成分の融解が不十分となりやすく、水分散液の分散状態が悪化しやすい。上記液温の上限は、特に限定されるものではないが、得られる蒸気・復水系処理剤組成物の保存安定性の観点から、８０℃以下が好ましい。上記温度が８０℃以下であると、そのような温度に水分散液を長時間さらしても、（ｂ）成分であるポリオキシエチレンソルビタン脂肪酸エステルの分子構造に変化が起こりにくく、より良好な保存安定性を有する蒸気・復水系処理剤組成物が得やすい。
【００２２】
また、上記水分散液を上記水溶液に混合する際には、図１に示すとおり、生成途中の混合物の液温を４０℃以下に保持する。上記液温が４０℃超であると、得られる蒸気・復水系処理剤組成物の保存安定性が悪化しやすい。上記液温を４０℃以下に保持する方法としては、例えば、上記のとおり、水溶液の液温を１０℃以下に設定する方法が挙げられる。なお、生成途中の混合物とは、水分散液の水溶液への混合開始から混合終了までの間に、水分散液と水溶液とが混合されて生成する混合物をいう。
【００２３】
なお、得られる蒸気・復水系処理剤組成物の保存安定性の観点から、水分散液の液温を７０〜８０℃に維持する時間は、２時間以下にすることが好ましく、水分散液の液温を８０℃超に維持する時間は、１時間以下にすることが好ましい。即ち、水分散液を調製してから水溶液に混合し終えるまでの時間を、水分散液の液温を７０〜８０℃に維持する場合には、２時間以下にすることが好ましく、水分散液の液温を８０℃超に維持する場合には、１時間以下にすることが好ましい
【００２４】
以上のとおりにして、保存安定性に優れた蒸気・復水系処理剤組成物を得ることができる。
【００２５】
次に、本発明の第１実施形態に係る蒸気・復水系処理剤組成物の製造方法で得られる蒸気・復水系処理剤組成物（以下、「本発明の第１実施形態に係る蒸気・復水系処理剤組成物」という場合がある。）について説明する。
【００２６】
本発明の第１実施形態に係る蒸気・復水系処理剤組成物においては、（ａ）成分が（ｂ）成分により乳化、分散され、長期的な安定性（保存安定性）が確保されるとともに、中和性アミンである（ｃ）成分も含まれることにより、（ａ）成分の皮膜性アミン防食剤としての機能に加えて、（ｃ）成分の防食機能も発揮される。また、本発明の第１実施形態に係る蒸気・復水系処理剤組成物においては、（ｃ）成分が（ｂ）成分と協同的に作用することにより、広い温度範囲での長期の保存安定性が発揮される。本発明の第１実施形態に係る蒸気・復水系処理剤組成物は、組成物全量に対して、（ａ）成分量が０．１〜５重量％、（ｂ）成分量が０．１〜１０重量％、（ｃ）成分量が０．５〜５０重量％、残部が水であるような各成分割合の乳化分散系であることが、保存安定性を高める観点から好ましい。
【００２７】
（ａ）成分として用いられる長鎖脂肪族アミンは、炭素数１０〜２４、好ましくは炭素数１２〜２０の長鎖脂肪族基１〜３個、好ましくは１個を有するものである。（ａ）成分は、１種単独で又は２種以上を組み合わせて使用することができる。
【００２８】
上記長鎖脂肪族基は、飽和長鎖脂肪族基であっても、不飽和長鎖脂肪族基であってもよい。炭素数が１０より少ない長鎖脂肪族基を有する長鎖脂肪族アミン及びその脂肪酸塩は、金属の防食性能に劣る傾向にある。炭素数が２４を超える長鎖脂肪族基を有する長鎖脂肪族アミン及びその脂肪酸塩は、ゲル化を起こしやすく、得られる蒸気・復水系処理剤組成物は、保存安定性に優れたものとなりにくい。
【００２９】
本発明に好適に用いることができる長鎖脂肪族アミンとしては、例えば、ドデシルアミン、トリデシルアミン、テトラデシルアミン、ヘプタデシルアミン、オクタデシルアミン、ノナデシルアミン、ドコシルアミン等の飽和長鎖脂肪族アミン；オレイルアミン、リシノレイルアミン、リノレイルアミン、リノレニルアミン等の不飽和長鎖脂肪族アミン；ヤシ油アミン、硬化牛脂アミン等の混合アミン；及びこれらの混合物が挙げられる。
【００３０】
（ａ）成分として用いられる長鎖脂肪族アミンの脂肪酸塩において、上記長鎖脂肪族アミンと脂肪酸塩を形成する脂肪酸は、特に限定されず、炭素数２〜２４のものが好ましい。上記脂肪酸としては、例えば、酢酸、ラウリン酸、ステアリン酸、オレイン酸等が挙げられる。
【００３１】
なお、米国ＦＤＡ規格においてボイラー水用添加剤として使用が認められているオクタデシルアミンを（ａ）成分として使用した場合には、ボイラーから発生した蒸気が漏れて食品と接触しても安全性の面で問題がないので、食品製造業においても使用できる利点を有する。
【００３２】
（ａ）成分は、組成物全量に対して０．１〜５重量％の割合で用いるのが好ましい。（ａ）成分の使用量が上記範囲内であると、（ａ）成分は、ゲル化しにくいため、水への分散性が良好となりやすく、得られる組成物は、保存安定性に優れたものとなりやすい。
【００３３】
本発明において、（ｂ）成分のポリオキシエチレンソルビタン脂肪酸エステルは、乳化剤かつ乳化安定剤として用いられる。（ｂ）成分は、１種単独で又は２種以上を組み合わせて使用することができる。（ｂ）成分としては、例えば、ポリオキシエチレンソルビタンモノラウレート、ポリオキシエチレンソルビタンモノオレエート、ポリオキシエチレンソルビタンモノパルミテート、ポリオキシエチレンソルビタンモノステアレート、ポリオキシエチレンソルビタントリステアレート等が挙げられ、エチレンオキサイドは４〜３０モルの割合で付加されているのが好ましい。
【００３４】
なお、日本食品添加物規格や米国ＦＤＡ規格をはじめ、国際的に広く食品添加物として使用が認められているポリオキシエチレンソルビタンモノラウレート、ポリオキシエチレンソルビタンモノオレエート、ポリオキシエチレンソルビタンモノステアレート、ポリオキシエチレンソルビタントリステアレート等を（ｂ）成分として使用した場合には、ボイラーから発生した蒸気が漏れて食品と接触しても安全性の面で問題がないので、食品製造業においても使用できる利点を有する。
【００３５】
（ｂ）成分は、組成物全量に対して０．１〜１０重量％の割合で用いるのが好ましい。（ｂ）成分の使用量が上記範囲内であると、（ａ）成分の水への分散性が良好となりやすい。
【００３６】
（ｃ）成分は、式：ＨＯ−（ＣＲ１２）ｎ−ＮＲ２２（但し、Ｒ１は独立にＨ又はＣＨ３であり、Ｒ２は独立にＨ、ＣＨ３、又はＣ２Ｈ５であり、ｎは２又は３である。）で表される中和性アミンである。（ｃ）成分は、金属防食機能を有する。また、（ｃ）成分は、（ｂ）成分と協同的に作用して、（ａ）成分を含むエマルションに、広い温度範囲での長期の保存安定性を与える。（ｃ）成分は、１種単独で又は２種以上を組み合わせて使用することができる。
【００３７】
（ｃ）成分としては、例えば、エタノールアミン、プロパノールアミン、アミノメチルプロパノール、アミノエチルプロパノール、ジエチルアミノエタノール、モルホリン、及びこれらの混合物が挙げられる。
【００３８】
（ｃ）成分は、組成物全量に対して０．５〜５０重量％の割合で用いるのが好ましい。（ｃ）成分の使用量が上記範囲内であると、（ｃ）成分の金属防食性能が効果的に発揮されるとともに、得られる組成物の乳化状態が安定しやすい。
【００３９】
本発明の第１実施形態に係る蒸気・復水系処理剤組成物は、長期保存安定性に極めて優れる。これに加えて、上記蒸気・復水系処理剤組成物は、各成分を選べば安全性がより高くなるので、食品工場等の安全性に対する制限が厳しい工場においても支障なくボイラー等に腐食抑制剤として使用することができる。
【００４０】
本発明の第１実施形態に係る蒸気・復水系処理剤組成物は、（ａ）成分、（ｂ）成分、及び（ｃ）成分の３成分を必須とするが、必要に応じて、腐食抑制剤の慣用成分やその他の補助添加剤を任意に含有することができる。このような慣用成分や補助添加剤の具体例としては、エチレングリコール、プロピレングリコール、ブチレングリコール、ヘキシレングリコール、グリセリン等の可溶化剤や凍結防止剤；ヘキサメタ燐酸ナトリウム、トリポリ燐酸ナトリウム等の重合燐酸塩類；ニトロトリ酢酸ナトリウム（ＳＮＴＡ）、ＥＤＴＡ等の金属イオン封鎖剤等が挙げられる。
【００４１】
本発明の第１実施形態に係る蒸気・復水系処理剤組成物は、給水又は蒸気に対し、（ａ）成分及び（ｃ）成分の合計の含有量として、０．１〜２００ｐｐｍ、好ましくは１〜２０ｐｐｍ程度となるように連続的又は断続的に添加することによって、蒸気発生系や復水系等の金属部分の腐食を抑制する。
【００４２】
本発明の第１実施形態に係る蒸気・復水系処理剤組成物は、使用濃度付近に希釈されたとき、その希釈液がｐＨ９〜１１程度の塩基性を示すので、一般に、燐酸ナトリウム等の塩基性スケール防止剤及び／又は亜硫酸ナトリウム、タンニン等のその他の水処理剤を併用することも可能である。
【００４３】
本発明の第１実施形態に係る蒸気・復水系処理剤組成物は、長期的な保存及び使用に対して、極めて高い乳化分散安定性を発揮する。
【００４４】
〔第２実施形態〕
本発明の第２実施形態に係る蒸気・復水系処理剤組成物の製造方法は、（ａ）炭素数１０〜２４の長鎖脂肪族基を有する長鎖脂肪族アミン及びその脂肪酸塩の少なくとも一方と、（ｂ）ポリオキシエチレンソルビタン脂肪酸エステルと、（ｃ）式：ＨＯ−（ＣＲ１２）ｎ−ＮＲ２２（但し、Ｒ１は独立にＨ又はＣＨ３であり、Ｒ２は独立にＨ、ＣＨ３、又はＣ２Ｈ５であり、ｎは２又は３である。）で表される中和性アミンとを含有する水性エマルションである蒸気・復水系処理剤組成物の製造方法であって、上記（ａ）成分と上記（ｂ）成分とを含有する水分散液を、７０℃以上の液温に維持した状態で、水に添加して混合液を調製する混合液調製工程と、上記混合液に上記（ｃ）成分を混合して混合物を生成する混合工程とを含み、上記混合液調製工程では、生成途中の上記混合液の液温を４０℃以下に保持する製造方法である。
【００４５】
以下、本発明の第２実施形態に係る蒸気・復水系処理剤組成物の製造方法について、図２を参照しながら説明する。図２は、本発明の第２実施形態に係る蒸気・復水系処理剤組成物の製造方法について手順の具体例を示すフローチャートである。
【００４６】
なお、第２実施形態では、主に第１実施形態との相違点について説明する。第２実施形態では、第１実施形態と重複する説明を適宜に省略する。
【００４７】
図２に示すとおり、本発明の第２実施形態に係る蒸気・復水系処理剤組成物の製造方法は、（ａ）成分と（ｂ）成分とを含有する水分散液を、７０℃以上の液温に維持した状態で、水に添加して混合液を調製する混合液調製工程と、上記混合液に（ｃ）成分を混合して混合物を生成する混合工程を含み、混合液調製工程では、生成途中の上記混合液の液温が４０℃以下に保持される。蒸気・復水系処理剤組成物は、上記混合工程で生成された混合物として得られる。
【００４８】
（ａ）成分と（ｂ）成分とを含有する水分散液に関する説明は、第１実施形態と第２実施形態とで重複するので、省略する。
【００４９】
水分散液が添加される水の液温は、特に限定されず、水分散液を水に添加して混合する際に、生成途中の混合液の液温を４０℃以下に保持することができる温度であることが好ましく、水分散液と水との重量比等にもよるが、１０℃以下であることが好ましい。また、上述の水分散液及び混合液を調製するために用いられる水としては、例えば、逆浸透膜等により膜処理することで得られる純水、蒸留水、及びイオン交換水等の精製水等が挙げられる。
【００５０】
第１実施形態について説明したのと同様にして得られた水分散液を水に添加して混合する。水分散液を水に添加して混合する際、水分散液の液温は７０℃以上に維持される。上記液温が７０℃未満であると、（ａ）成分の融解が不十分となりやすく、上記液温の上限は、特に限定されるものではないが、得られる蒸気・復水系処理剤組成物の保存安定性の観点から、８０℃以下が好ましい。上記温度が８０℃以下であると、そのような温度に水分散液を長時間さらしても、（ｂ）成分であるポリオキシエチレンソルビタン脂肪酸エステルの分子構造に変化が起こりにくく、より良好な保存安定性を有する蒸気・復水系処理剤組成物が得やすい。
【００５１】
また、上記水分散液を水に添加して混合する際には、図２に示すとおり、生成途中の混合液の液温を４０℃以下に保持する。上記液温が４０℃超であると、得られる蒸気・復水系処理剤組成物の保存安定性が悪化しやすい。上記液温を４０℃以下に保持する方法としては、例えば、上記のとおり、水分散液を混合する水の液温を１０℃以下に設定する方法が挙げられる。なお、生成途中の混合液とは、水分散液の水への混合開始から混合終了までの間に、水分散液と水とが混合されて生成する混合液をいう。
【００５２】
上記のとおりにして得られた混合液に（ｃ）成分を混合して混合物を生成する。この際、生成途中の混合物の液温も４０℃以下に保持することが好ましい。
【００５３】
以上のとおりにして、保存安定性に優れた蒸気・復水系処理剤組成物を得ることができる。
【００５４】
本発明の第２実施形態に係る蒸気・復水系処理剤組成物の製造方法で得られる蒸気・復水系処理剤組成物は、本発明の第１実施形態に係る蒸気・復水系処理剤組成物の製造方法で得られる蒸気・復水系処理剤組成物と同様であるので、説明を省略する。
【実施例】
【００５５】
以下、本発明の実施例を説明するが、本発明の範囲はこれらの実施例に限定されるものではない。
【００５６】
実施例及び比較例では、以下の化合物を用いた。
・（ａ）成分
ＯＤＡ：オクタデシルアミン
・（ｂ）成分
ＰＯＥＳＭＬ：ポリオキシエチレン（２０）ソルビタンモノラウレート
ＰＯＥＳＭＳ：ポリオキシエチレン（２０）ソルビタンモノステアレート
ＰＯＥＳＭＯ：ポリオキシエチレン（２０）ソルビタンモノオレエート
・（ｃ）成分
ＡＭＰ：アミノメチルプロパノール
【００５７】
＜実施例１〜４、比較例１〜３＞
本発明の第１実施形態に係る蒸気・復水系処理剤組成物の製造方法に従って、蒸気・復水系処理剤組成物を調製した。
表１に示す組成に従って、純水に（ａ）成分及び（ｂ）成分を添加し、混合することにより、（ａ）成分と（ｂ）成分とを含有する水分散液を得た。その際、（ａ）成分及び（ｂ）成分を添加する前の純水の液温、並びに、混合時の液温を、表１における「水分散液の液温」の行に示す温度に設定し、同温度の水分散液を得た。一方、表１に示す組成に従って、純水に（ｃ）成分を添加し、混合することにより、（ｃ）成分を含有する水溶液を得た。その際、（ｃ）成分を添加して混合したときの液温を、表１における「水溶液の液温」の行に示す温度に設定し、同温度の水溶液を得た。得られた水分散液を、得られた水溶液に混合し、混合物として蒸気・復水系処理剤組成物を得た。上記水分散液を上記水溶液に混合する際、上記水分散液の液温を、表１における「水分散液の液温」の行に示す温度に維持した。また、生成途中の混合物の液温は、表１に示す温度範囲に保持された。なお、上記水分散液の調製から、上記水分散液を上記水溶液に添加し終えるまでの時間は２時間以内であった。
【００５８】
保存安定性は、得られた組成物をそのまま−５℃、５℃、２５℃、及び４０℃で１ヶ月間静置し、分散状態を目視で観察することにより評価した。評価基準は、以下のとおりである。結果を表１に示す。
○：均一で良好な乳化状態                 
△：若干の浮遊物が存在する状態
×：分離や沈殿物が発生した状態
××：（ａ）成分又は（ｂ）成分が水に分散又は溶解しなかった
【００５９】
【表１】
2014114479.tif 000003
【００６０】
表１から、実施例１〜４では、上記水分散液を上記水溶液に混合する際に、上記水分散液の液温を７０℃以上に維持し、生成途中の混合物の液温を４０℃以下に保持することにより、保存安定性に優れた蒸気・復水系処理剤組成物を得ることができた。これに対し、比較例１及び３では、生成途中の混合物の液温が４０℃を超えており、得られた蒸気・復水系処理剤組成物は、保存安定性に劣っていた。また、比較例２では、水分散液の調製時の液温が７０℃未満であり、（ａ）成分又は（ｂ）成分が水に分散又は溶解しなかったため、水分散液を得ることができなかった。よって、比較例２では、保存安定性を評価できなかった。
【００６１】
＜実施例５、６、比較例４、５＞
本発明の第２実施形態に係る蒸気・復水系処理剤組成物の製造方法に従って、蒸気・復水系処理剤組成物を調製した。
表２に示す組成に従って、純水に（ａ）成分及び（ｂ）成分を添加し、混合することにより、（ａ）成分と（ｂ）成分とを含有する水分散液を得た。その際、（ａ）成分及び（ｂ）成分を添加する前の純水の液温、並びに、混合時の液温を、表２における「水分散液の液温」の行に示す温度に設定し、同温度の水分散液を得た。得られた水分散液を、表２に示す量と液温の純水に添加し、混合液を得た。上記水分散液を純水に添加する際、上記水分散液の液温を、表２における「水分散液の液温」の行に示す温度に維持した。また、生成途中の混合液の液温は、表２に示す温度範囲に保持された。上記混合液に、表２に示す量の（ｃ）成分を混合し、混合物として蒸気・復水系処理剤組成物を得た。なお、上記水分散液の調製から、上記水分散液を純水に添加し終えるまでの時間は２時間以内であった。
【００６２】
保存安定性は、実施例１〜４及び比較例１〜３に記載の方法及び評価基準に従って評価した。結果を表２に示す。
【００６３】
【表２】
2014114479.tif 000004
【００６４】
表２から、実施例５及び６では、上記水分散液を純水に添加して混合する際に、上記水分散液の液温を７０℃以上に維持し、生成途中の混合液の液温を４０℃以下に保持することにより、保存安定性に優れた蒸気・復水系処理剤組成物を得ることができた。これに対し、比較例４及び５では、生成途中の混合液の液温が４０℃を超えており、得られた蒸気・復水系処理剤組成物は、保存安定性に劣っていた。
【図１】
2014114479.tif 000005
【図２】
2014114479.tif 000006